(57)【要約】      （修正有）【課題】タッチ感度が低下しないタッチ電極を含むセンシング部及びそれを用いた表示装置を提供する。【解決手段】第１電極３４１と第２電極３４２により形成される静電容量に対応してタッチを感知するタッチパネルのセンシング部において、第１電極は、第１駆動電極パターン３４１ａと第１感知電極パターン３４１ｂを含み、かつ、第１感知電極パターンは第１駆動電極パターン内に配置される。第２電極は、第２感知電極パターン３４２ａと第２駆動電極パターン３４２ｂを含み、かつ、第２駆動電極パターンは第２駆動感知パターン内に配置される。第１タッチ電極は、第１感知電極に対応して第１容量性結合ＣＭ１が形成され、第２タッチ電極と第２感知電極に対応して第２容量性結合ＣＭ２が形成され、第１タッチ電極と第２感知電極に対応して第３容量性結合ＣＭ３が形成される。【選択図】図３
2018206352.tif 000002
【特許請求の範囲】
【請求項１】
タッチをセンシングするセンシングユニットは、
第１駆動電極パターンと、
前記第１駆動電極パターン内に配置され、前記センシングユニット内で前記第１駆動電極パターンと同一な層に配置される第１センシング電極パターンと、
第２センシング電極パターンと、
前記第２センシング電極パターン内に配置され、前記センシングユニット内で前記第２センシング電極パターンと同一な層に配置される第２駆動電極パターンと、
を含み、
タッチ駆動信号は、前記センシングユニット上をタッチしたことを感知するための第１駆動電極パターンと前記第２駆動電極パターンに供給され、
センシングユニット上のタッチを示すタッチセンシング信号は、前記第１センシング電極パターンと前記第２センシング電極パターンから伝達を受ける、
センシングユニット。
【請求項２】
前記第１駆動電極パターンと前記第２駆動電極パターンに連結され、前記第１駆動電極パターンと前記第２駆動電極パターンを電気的に連結する第１連結部と、
前記第１センシング電極パターンと前記第２センシング電極パターンに連結され、前記第１センシング電極パターンと前記第２センシング電極パターンを電気的に連結する第２連結部と、
をさらに含み、
前記第１連結部と前記第２連結部は、前記センシングユニットと異なる層に配置される、
請求項１に記載のセンシングユニット。
【請求項３】
前記第１駆動電極パターンと前記第２駆動電極パターンは、各々メッシュで配置される複数の電極パターンを含む、
請求項１に記載のセンシングユニット。
【請求項４】
前記第１駆動電極パターン内に配置される第１フローティング電極パターンと、
前記第２センシング電極パターン内に配置される第２フローティング電極パターンと、  をさらに含み、
前記第１フローティング電極パターンと前記第２フローティング電極パターンは、前記タッチ駆動信号または前記タッチセンシング信号を全て伝達されない、
請求項３に記載のセンシングユニット。
【請求項５】
前記第１センシング電極パターン、前記第２センシング電極パターン、前記第１駆動電極パターン、及び前記第２駆動電極パターンは、同一なレイヤに配置される、
請求項１に記載のセンシングユニット。
【請求項６】
センシングユニットは、
第１外部電極と、
前記第１外部電極内に配置され、前記センシングユニット内で前記第１外部電極と同一な層に配置される第１内部電極と、
第２外部電極と、
前記第２外部電極内に配置され、前記センシングユニット内で前記第２外部電極と同一な層に配置される第２内部電極と、
第３外部電極と、
前記第３外部電極内に配置され、前記センシングユニット内で前記第３外部電極と同一な層に配置される第３内部電極と、
第４外部電極と、
前記第４外部電極内に配置され、前記センシングユニット内で前記第４外部電極と同一な層に配置される第４内部電極と、
前記第１外部電極、前記第３外部電極、前記第２内部電極、前記第４内部電極を連結する第１連結部と、
第１内部電極、第３内部電極、第２外部電極、第４外部電極を連結する第２連結部と、
を含み、
前記センシングユニットのタッチを感知するためのタッチ駆動信号が前記第１外部電極、前記第３外部電極、前記第２内部電極、及び前記第４内部電極に供給され、
前記センシングユニットのタッチを示すタッチセンシング信号が前記第１内部電極、前記第３内部電極、前記第２外部電極、及び前記第４外部電極から伝達される、
センシングユニット。
【請求項７】
前記第１外部電極、前記第３外部電極、前記第２内部電極、前記第４内部電極は、各々メッシュで配置される複数の電極パターンを含む、
請求項６に記載のセンシングユニット。
【請求項８】
前記第１外部電極内に配置され、前記第１内部電極に部分的に囲まれている第１フローティング電極パターンと、
前記第２外部電極内に配置され、前記第２内部電極に部分的に囲まれている第２フローティング電極パターンと、
前記第３外部電極内に配置され、前記第３内部電極に部分的に囲まれている第３フローティング電極パターンと、
前記第４外部電極内に配置され、前記第４内部電極に部分的に配置される第４フローティング電極パターンと、
を含み、
前記第１フローティング電極パターン、前記第２フローティング電極パターン、前記第３フローティング電極パターン、及び前記第４フローティング電極パターンは、前記タッチ駆動信号または前記タッチセンシング信号を全て伝達されない、
請求項７に記載のセンシングユニット。
【請求項９】
ダイアモンド形態に配置される第１切れ乃至第４切れを含み、
前記第１切れは、前記第１外部電極と前記第２内部電極を含み、
前記第２切れは、前記第１切れの下に配置され、前記第２内部電極と前記第２外部電極を含み、
前記第３切れは、前記第２切れの左側に配置され、前記第３内部電極と前記第３外部電極を含み、
前記第４切れは、前記第１切れと前記第２切れの右側に配置され、前記第４内部電極と前記第４外部電極を含む、
請求項６に記載のセンシングユニット。
【請求項１０】
前記第１連結部は、前記第１切れ、前記第２切れ、前記第３切れ、及び前記第４切れの間に配置される複数の連結ラインを含み、
前記第１連結部の各連結ラインは、前記第１外部電極、前記第３外部電極、前記第２内部電極、前記第４内部電極のうち、いずれか１つに対応して連結され、
前記第２連結部は、前記第１外部電極、前記第２切れ、前記第３切れ、及び前記第４切れの間に配置される複数の連結ラインを含み、
前記第２連結部の各連結ラインは、前記第１内部電極、前記第３内部電極、前記第２外部電極、及び前記第４外部電極のうち、いずれか１つに対応して連結される、
請求項９に記載のセンシングユニット。
【請求項１１】
前記第１外部電極、前記第２外部電極、前記第３外部電極、前記第４外部電極、前記第１内部電極、前記第２内部電極、前記第３内部電極、及び前記第４内部電極は、同一な層に配置される、
請求項６に記載のセンシングユニット。
【請求項１２】
表示パネルと、
前記表示パネル上に配置されるエンカプセレーション層と、
前記表示パネルに実装されたセンシング部と、
を含み、かつ
前記センシング部は、
第１駆動電極パターンと、
前記第１駆動電極パターン内に配置され、センシングユニット内で前記第１駆動電極パターンと同一な層に配置される第１センシング電極パターンと、
第２センシング電極パターンと、
前記第２センシング電極パターン内に配置され、前記センシングユニット内で前記第２センシング電極パターンと同一な層に配置される第２駆動電極パターンと、
を含み、
タッチ駆動信号は、前記センシングユニット上をタッチしたことを感知するための第１駆動電極パターンと前記第２駆動電極パターンに供給され、
センシングユニット上のタッチを示すタッチセンシング信号は、前記第１センシング電極パターンと前記第２センシング電極パターンから伝達を受ける、
表示装置。
【請求項１３】
前記第１駆動電極パターンと前記第２駆動電極パターンに連結され、前記第１駆動電極パターンと前記第２駆動電極パターンを電気的に連結する第１連結部と、
前記第１センシング電極パターンと前記第２センシング電極パターンに連結され、前記第１センシング電極パターンと前記第２センシング電極パターンを電気的に連結する第２連結部と、
をさらに含み、
前記第１連結部と前記第２連結部は、前記センシングユニットと異なる層に配置される、
請求項１２に記載の表示装置。
【請求項１４】
前記第１駆動電極パターンと前記第２駆動電極パターンは、各々メッシュで配置される複数の電極パターンを含む、
請求項１２に記載の表示装置。
【請求項１５】
前記第１駆動電極パターン内に配置される第１フローティング電極パターンと、
前記第２センシング電極パターン内に配置される第２フローティング電極パターンと、
をさらに含み、
前記第１フローティング電極パターンと前記第２フローティング電極パターンは、前記タッチ駆動信号または前記タッチセンシング信号を全て伝達されない、
請求項１４に記載の表示装置。
【請求項１６】
前記第１センシング電極パターン、前記第２センシング電極パターン、前記第１駆動電極パターン、及び前記第２駆動電極パターンは、同一なレイヤに配置される、
請求項１２に記載の表示装置。
【請求項１７】
表示パネルと、
前記表示パネル上に配置されるエンカプセレーション層と、
前記表示パネルに実装されたセンシング部と、
を含み、かつ
前記センシング部は、
第１外部電極と、
前記第１外部電極内に配置され、センシングユニット内で前記第１外部電極と同一な層に配置される第１内部電極と、
第２外部電極と、
前記第２外部電極内に配置され、前記センシングユニット内で前記第２外部電極と同一な層に配置される第２内部電極と、
第３外部電極と、
前記第３外部電極内に配置され、前記センシングユニット内で前記第３外部電極と同一な層に配置される第３内部電極と、
第４外部電極と、
前記第４外部電極内に配置され、前記センシングユニット内で前記第４外部電極と同一な層に配置される第４内部電極と、
前記第１外部電極、前記第３外部電極、前記第２内部電極、前記第４内部電極を連結する第１連結部と、
第１内部電極、第３内部電極、第２外部電極、第４外部電極を連結する第２連結部と、
を含み、
前記センシングユニットのタッチを感知するためのタッチ駆動信号が前記第１外部電極、前記第３外部電極、前記第２内部電極、及び前記第４内部電極に供給され、
前記センシングユニットのタッチを示すタッチセンシング信号が前記第１内部電極、前記第３内部電極、前記第２外部電極、及び前記第４外部電極から伝達される、
表示装置。
【請求項１８】
前記第１外部電極、前記第３外部電極、前記第２内部電極、前記第４内部電極は、各々メッシュで配置される複数の電極パターンを含む、請求項１７に記載の表示装置。
【請求項１９】
前記第１外部電極内に配置され、前記第１内部電極に部分的に囲まれている第１フローティング電極パターンと、
前記第２外部電極内に配置され、前記第２内部電極に部分的に囲まれている第２フローティング電極パターンと、
前記第３外部電極内に配置され、前記第３内部電極に部分的に囲まれている第３フローティング電極パターンと、
前記第４外部電極内に配置され、前記第４内部電極に部分的に配置される第４フローティング電極パターンと、
を含み、
前記第１フローティング電極パターン、前記第２フローティング電極パターン、前記第３フローティング電極パターン、及び前記第４フローティング電極パターンは、前記タッチ駆動信号または前記タッチセンシング信号を全て伝達されない、
請求項１８に記載の表示装置。
【請求項２０】
ダイアモンド形態に配置される第１切れ乃至第４切れを含み、
前記第１切れは、前記第１外部電極と前記第２内部電極を含み、
前記第２切れは、前記第１切れの下に配置され、前記第２内部電極と前記第２外部電極を含み、
前記第３切れは、前記第２切れの左側に配置され、前記第３内部電極と前記第３外部電極を含み、
前記第４切れは、前記第１切れと前記第２切れの右側に配置され、前記第４内部電極と前記第４外部電極を含む、
請求項１８に記載の表示装置。
【請求項２１】
タッチをセンシングするセンシングユニットは、
第１駆動電極パターンと、
前記第１駆動電極パターン内に配置され、前記センシングユニット内で前記第１駆動電極パターンと異なる層に配置される第１センシング電極パターンと、
第２センシング電極パターンと、
前記第２センシング電極パターン内に配置され、前記センシングユニット内で前記第２センシング電極パターンと異なる層に配置される第２駆動電極パターンと、
を含み、
タッチ駆動信号は、前記センシングユニット上をタッチしたことを感知するための第１駆動電極パターンと、前記第２駆動電極パターンに供給され、
センシングユニット上のタッチを示すタッチセンシング信号は、前記第１センシング電極パターンと前記第２センシング電極パターンから伝達を受ける、
センシングユニット。
【請求項２２】
前記第１センシング電極パターンと前記第２駆動電極パターンは、第１レイヤに配置され、
前記第１駆動電極パターンと前記第２センシング電極パターンは、前記第１レイヤと区別される第２レイヤに配置される、
請求項２１に記載のセンシングユニット。
【請求項２３】
表示パネルと、
前記表示パネル上に配置されるエンカプセレーション層と、
前記表示パネルに実装されたセンシング部と、
を含み、かつ
前記センシング部は、
第１駆動電極パターンと、
前記第１駆動電極パターン内に配置され、センシングユニット内で前記第１駆動電極パターンと異なる層に配置される第１センシング電極パターンと、
第２センシング電極パターンと、
前記第２センシング電極パターン内に配置され、前記センシングユニット内で前記第２センシング電極パターンと異なる層に配置される第２駆動電極パターンと、
を含み、
タッチ駆動信号は、前記センシングユニット上をタッチしたことを感知するための第１駆動電極パターンと、前記第２駆動電極パターンに供給され、
センシングユニット上のタッチを示すタッチセンシング信号は、前記第１センシング電極パターンと前記第２センシング電極パターンから伝達を受ける、
表示装置。
【請求項２４】
前記第１センシング電極パターンと前記第２駆動電極パターンは、第１レイヤに配置され、
前記第１駆動電極パターンと前記第２センシング電極パターンは、前記第１レイヤと区別される第２レイヤに配置される、
請求項２３に記載の表示装置。
【発明の詳細な説明】
【技術分野】
【０００１】
本実施形態は、タッチ電極を含むセンシング部及びそれを用いた表示装置に関するものである。
【背景技術】
【０００２】
情報化社会が発展するにつれて、画像を表示するための表示装置に対する要求が多様な形態に増加しており、液晶表示装置（ＬＣＤ：Liquid Crystal Display Device）、プラズマ表示装置（Plasma Display Device）、有機発光表示装置（ＯＬＥＤ：Organic Light Emitting Display Device）などの種々のタイプの表示装置が活用されている。
【０００３】
また、表示装置は、キーボード、マウスなどの多様な入力装置を通じてユーザの命令の入力を受けて動作できるが、表示装置の画面をタッチして直観的で、かつ便利にユーザの命令が入力できるようにするタッチパネルが表示装置の入力装置として開発されている。一般的に、タッチパネルは、表示装置の画面上に配置され、ユーザが表示装置の画面の特定の地点をタッチすることによって、表示装置は、ユーザの命令の入力を受けることができる。
【０００４】
また、タッチパネルは、静電容量方式、抵抗膜方式、超音波を用いる方式、赤外線方式などがあるが、使用の便利性などの理由により静電容量方式が広く使われている。また、静電容量方式は、タッチ電極に対応して感知された静電容量を用いてタッチを感知するものであって、相互静電容量方式とセルフ静電容量方式などに区分できる。
【０００５】
タッチパネルは、表示装置に実装されるが、タッチパネルにより開口率が低下して表示装置の輝度が落ちる問題点が発生することがある。このような問題点を解決するために、タッチ電極をパターニングしてタッチパネルで光が透過される面積を増やすようになるが、このような場合、静電容量のサイズが減少する問題が発生してタッチ感度が落ちる問題が発生することがある。
【発明の概要】
【発明が解決しようとする課題】
【０００６】
本実施形態の目的は、タッチ感度が低下しないタッチ電極を含むセンシング部及びそれを用いた表示装置を提供することにある。
【０００７】
本実施形態の他の目的は、タッチ信号が歪曲されることを防止するセンシング部及びそれを用いた表示装置を提供することにある。
【課題を解決するための手段】
【０００８】
一態様において、本実施形態は、第１電極と第２電極により形成される静電容量に対応してタッチを感知するセンシング部において、第１電極は、第１駆動電極パターンと第１感知電極パターンを含み、かつ第１感知電極パターンは、第１駆動電極パターン内に配置され、第２電極は、第２タッチ電極パターンと第２感知電極パターンを含み、かつ第２タッチ電極パターンは、第２感知電極パターン内に配置され、第１タッチ電極は、第１感知電極に対応して第１容量性結合が形成され、第２タッチ電極と第２感知電極に対応して第２容量性結合が形成され、第１タッチ電極と第２感知電極に対応して第３容量性結合が形成されるセンシング部を提供するものである。
【０００９】
他の一態様において、本実施形態は、第１内部電極と第１外部電極を含む第１電極、第２内部電極と第２外部電極を含む第２電極、第３内部電極と第３外部電極を含む第３電極、第４内部電極と第４外部電極を含む第４電極を含み、かつ第１内部電極と第２内部電極と第３外部電極と第４外部電極が第１連結部を通じて連結され、第３内部電極と第４内部電極と第１外部電極と第２外部電極が第１連結部と異なる層に配置されている第２連結部を通じて連結されるセンシング部を提供するものである。
【００１０】
他の一態様において、本実施形態は、表示パネル、及び表示パネルに実装されたセンシング部を含む表示装置において、センシング部は、第１タッチ電極と第１感知電極を含む第１電極と、第２タッチ電極と第２感知電極を含む第２電極を含み、かつ第１タッチ電極は、第１感知電極に対応して第１容量性結合が形成され、第２タッチ電極と第２感知電極に対応して第２容量性結合が形成され、第１タッチ電極と第２感知電極に対応して第３容量性結合が形成される表示装置を提供するものである。
【００１１】
他の一態様において、本実施形態は、表示パネル；及び表示パネルに実装されたセンシング部を含む表示装置において、センシング部は、第１外部電極と第１内部電極を含む第１電極、第２外部電極と第２内部電極を含む第２電極、第３外部電極と第３内部電極を含む第３電極、第４外部電極と第４内部電極を含む第４電極を含み、かつ第１外部電極と第３外部電極と第２内部電極と前記第４内部電極が第１連結部を通じて連結され、第１内部電極と第３内部電極と第２外部電極と第４外部電極が第１連結部と異なる層に配置されている第２連結部を通じて連結される表示装置を提供するものである。
【発明の効果】
【００１２】
本実施形態によれば、タッチ感度が低下しないタッチ電極を含むセンシング部及びそれを用いた表示装置を提供することができる。
【００１３】
本実施形態によれば、タッチ信号が歪曲されることを防止するセンシング部及びそれを用いた表示装置を提供することができる。
【図面の簡単な説明】
【００１４】
【図１】本発明の実施形態に係るセンシング部を含む表示装置の一実施形態を示す断面図である。
【図２】本発明の実施形態に係るセンシング部の一実施形態を示す平面図である。
【図３】本発明の実施形態に係る第１電極と第２電極を含むセンシング部の第１実施形態を示す平面図である。
【図４】本発明の実施形態に係る第１電極と第２電極を含むセンシング部の第２実施形態を示す平面図である。
【図５】図４に図示されたセンシング部のＩ−Ｉ’の断面の一実施形態を示す断面図である。
【図６ａ】図４に図示された第１連結部の一実施形態を示す平面図である。
【図６ｂ】図４に図示されたセンシング部におけるＡ部分を拡大した平面図である。
【図７】図１に図示された表示装置で採用した画素回路の一実施形態を示す回路図である。
【図８】本実施形態に係るセンシング部を含む表示装置の第１実施形態を示す断面図である。
【図９】本実施形態に係るセンシング部を含む表示装置の第２実施形態を示す断面図である。
【発明を実施するための形態】
【００１５】
以下、本発明の一部の実施形態を例示的な図面を通じて詳細に説明する。各図面の構成要素に参照符号を付加するに当たって、同一な構成要素に対しては、たとえ他の図面上に表示されてもできる限り同一な符号を有することができる。また、本発明を説明するに当たって、関連した公知構成または機能に対する具体的な説明が本発明の要旨を曖昧にすることがあると判断される場合には、その詳細な説明は、省略する。
【００１６】
また、本発明の構成要素を説明するに当たって、第１、第２、Ａ、Ｂ、（ａ）、（ｂ）などの用語を使用することができる。このような用語は、その構成要素を他の構成要素と区別するためのものであり、その用語により当該構成要素の本質や回順序または順序などが限定されない。ある構成要素が他の構成要素に“連結”、“結合”、または“接続”されると記載された場合、その構成要素は、その他の構成要素に直接的に連結、または接続できるが、各構成要素の間に更に他の構成要素が“連結”、“結合”、または“接続”されることもできると理解されるべきである。
【００１７】
図１は、本実施形態に係るセンシング部を含む表示装置の一実施形態を示す断面図である。
【００１８】
図１を参照すると、表示装置１００は、第１基板１１０、第１基板１１０上に蒸着されて光を発光する有機膜１３０、及び第１基板１１０上に蒸着されている有機膜１３０を保護するエンカプセレーション層１２０を含むことができる。エンカプセレーション層１２０は、シーリング材（図示せず）により第１基板１２０と合着されて有機膜１３０をシーリングできるので、シーリング基板と称することができる。また、図示してはいないが、カソード電極は、エンカプセレーション層１２０と有機膜１３０との間に配置できる。
【００１９】
第１基板１１０は、複数の画素回路（図示せず）と、画素回路と連結されている有機膜を含み、各画素回路は、複数のトランジスタ（図示せず）、キャパシタ（図示せず）などの素子が形成され、選択的に電流を有機膜１３０に伝達して有機膜１３０で光が発光できるようにすることができる。しかしながら、これに限定されるものではなく、第１基板１１０上に複数の画素回路が形成されているものでありうる。また、第１基板１１０は、絶縁材質または金属材質からなることができる。有機膜１３０は、光を発光する発光領域に対応して形成できる。
【００２０】
エンカプセレーション層１２０は、第１基板１１０と対向し合着されて、水分または異質物から有機膜１３０を保護することができる。エンカプセレーション層１２０の厚さは、５μｍ以上であって、絶縁材質からなることができる。エンカプセレーション層１２０の上部には、タッチ位置を感知するセンシング部１４０が配置できる。ここで、センシング部１４０は、別途の表示装置と区分される別途のタッチパネルを含むことができる。また、センシング部１４０は、エンカプセレーション層１２０上に形成されたタッチ電極を含むことができる。即ち、センシング部１４０は、タッチを感知するための別途のタッチパネルがエンカプセレーション層１２０上に形成されるだけでなく、エンカプセレーション層１２０上にタッチ電極を形成して有機発光表示装置１００にタッチ電極が実装されることを含むことができる。これによって、有機発光表示装置１００の厚さを薄く具現することができる。しかしながら、タッチ電極の位置は、これに限定されるものではない。
【００２１】
有機膜１３０は、各画素回路から駆動電流の供給を受けて駆動電流の伝達を受けて光を発光することができる。有機膜１３０は、各画素別に独立的に形成できる。そして、有機膜により発光する複数の発光領域が第１基板１１０上に配置できる。また、有機膜１３０は、有機発光ダイオードの複数の有機化合物層でありうる。有機発光ダイオードは、アノード電極、カソード電極とこれらの間に形成された有機化合物層を含む。有機化合物層は、正孔注入層（hole Injection Layer、ＨＩＬ）、正孔輸送層（Hole Transport Layer、ＨＴＬ）、発光層（Emission Layer、ＥＭＬ）、電子輸送層（Electron Transport Layer、ＥＴＬ）、及び電子注入層（Electron Injection Layer、ＥＩＬ）を含むことができる。そして、画素回路の動作によりアノード電極とカソード電極に駆動電圧が印加されれば、正孔輸送層ＨＴＬを通過した正孔と電子輸送層ＥＴＬを通過した電子が発光層ＥＭＬに移動して励起子を形成し、その結果、発光層ＥＭＬで可視光を発生させることができるようになる。
【００２２】
ここで、表示装置は、有機発光表示装置であるものとして図示されているが、液晶表示装置、ＰＤＰ（Plasma Display Panel）であって、これに限定されるものではない。
【００２３】
図２は、図１に図示された表示装置で採用したセンシング部の一実施形態を示す平面図である。
【００２４】
図２を参照すると、センシング部２２０は、複数の第１電極ＴＥ１と複数の第２電極ＴＥ２を含むことができる。第１電極ＴＥ１は、連結部２２２により横方向に連結される複数の電極行をなし、第２電極ＴＥ２は、連結部２２２により連結されて縦方向に連結される複数の電極列を含むことができる。複数の電極が、ここでは４×３形態に配置されていることを図示しているが、これに限定されるものではない。
【００２５】
連結部２２２は、１つの第１電極ＴＥ１が同一な行にある異なる第１電極と連結されるようにし、第２電極ＴＥ２が同一な列にある異なる第２電極と連結されるようにすることができる。また、複数の電極は、タッチ駆動信号を伝達する駆動電極と駆動信号に対応する感知信号を伝達する感知電極を含むことができる。連結部２２２は、互いに交差するようになるが、第１電極ＴＥ１と第２電極ＴＥ２が直接的に連結されないようにするために、第１電極ＴＥ１を連結する連結部は、第１電極ＴＥ１及び第２電極ＴＥ２と同一な層に形成されて第１電極ＴＥ１が直接的に連結され、第２電極ＴＥ２を連結する連結部２２２は、第１電極ＴＥ１及び第２電極ＴＥ２と異なる層に形成され、ビアを通じて連結されて第２電極ＴＥ２がビアホールを通じて連結部２２２と連結されて間接的に連結されるようになる。
【００２６】
また、第１電極ＴＥ１及び第２電極ＴＥ２は、導電性を有する金属層をパターニングして形成することができる。また、第１電極ＴＥ１及び第２電極ＴＥ２は、ＩＴＯ（Indium Tin Oxide）のような透明物質で形成できる。また、パターニングされた第１電極ＴＥ１及び第２電極ＴＥ２は、メッシュ（Mesh）形態に形成された複数の電極パターンを含むことができ、複数の電極パターンが互いに交差しながら第１電極ＴＥ１及び第２電極ＴＥ２は、複数の開口部を含むことができる。ＩＴＯ電極からなる第１電極ＴＥ１及び第２電極ＴＥ２、または第１電極ＴＥ１及び第２電極ＴＥ２に含まれた複数の開口部を通じて表示装置から放出された光が第１電極ＴＥ１及び第２電極ＴＥ２を透過するか、または複数の開口部を通じて外部に放出できる。
【００２７】
メッシュ形態に形成された第１電極ＴＥ１及び第２電極ＴＥ２の電極パターンをタッチ電極配線と称することができる。そして、第１電極ＴＥ１と第２電極ＴＥ２は、駆動する駆動信号がタッチ電極に印加されるようにする駆動ライン２２１ａとタッチ電極で感知したタッチに対応して生成されるタッチセンシング信号が伝達されるようにするセンシングライン２２１ｂと連結できる。駆動ライン２２１ａとセンシングライン２１ｂをタッチ配線と称することができる。
【００２８】
上記のように具現されれば、第１電極ＴＥ１と第２電極ＴＥ２は、互いに直接的に連結されないで、１つの第１電極ＴＥ１と１つの第２電極ＴＥ２は、互いに１つの容量性結合を有するようになる。しかしながら、静電容量のサイズが大きくないで、タッチ感度が充分でないことがある。
【００２９】
図３は、本実施形態に係る第１電極と第２電極を含むセンシング部の第１実施形態を示す平面図である。
【００３０】
図３を参照すると、センシング部２２０は、第１電極３４１と第２電極３４２を含み、第１電極３４１と第２電極３４２により形成される静電容量に対応してタッチを感知することができる。第１電極３４１は、第１駆動電極パターン３４１ａと第１感知電極パターン３４１ｂを含み、かつ第１感知電極パターン３４１ｂは、第１駆動電極パターン３４１ａ内に配置できる。第２電極３４２は、第２感知電極パターン３４２ａと第２駆動電極パターン３４２ｂを含み、かつ第２駆動電極パターン３４２ｂは、第２感知電極パターン３４２ａ内に配置できる。即ち、１つのタッチ電極パターン内に１つの感知電極パターンが配置され、他の１つの感知電極パターン内に他の１つのタッチ電極パターンが配置できる。ここで、パターン内部とは、１つの投影面内に１つの電極パターンが異なる電極パターンの内部に配置されることを意味する。したがって、互いに異なる層にタッチ電極パターンと感知電極パターンが配置されることもでき、同一な層にタッチ電極パターンと感知電極パターンが配置できる。異なる層は、タッチ電極パターンと感知電極パターンとの間に絶縁膜が配置されることを意味する。
【００３１】
図２に図示されているように、第１電極に１つの駆動電極パターンが形成され、第２電極に１つの感知電極パターンが形成されれば、第１電極と第２電極との間に１つの容量性結合が形成されて、容量性結合は、１つの経路のみに生成されるようになる。
【００３２】
しかしながら、第１電極３４１が第１駆動電極パターン３４１ａと第１感知電極パターン３４１ｂを含み、第２電極３４２が第２駆動電極パターン３４２ｂと第２感知電極パターン３４２ａを含んでいるので、第１電極３４１と第２電極３４２との間に第１駆動電極パターン３４１ａは、第１感知電極パターン３４１ｂに対応して第１容量性結合ＣＭ１が形成され、第２駆動電極パターン３４２ｂと第２感知電極パターン３４２ａに対応して第２容量性結合ＣＭ２が形成され、第１駆動電極パターン３４１ａと第２感知電極パターン３４２ａに対応して第３容量性結合ＣＭ３が形成できる。また、第１感知電極パターン３４１ｂと第２駆動電極パターン３４２ｂに対応して第４容量性結合ＣＭ４が形成できる。
【００３３】
即ち、第１電極３４１と第２電極３４２が各々互いに離隔したタッチ駆動電極とタッチ感知電極を含むように形成して、容量性結合が形成される経路がより多くなるようにし、これによって静電容量のサイズがより大きくなることによって、センシング部のタッチ感度が増加できる。
【００３４】
また、第１駆動電極パターン３４１ａと第２駆動電極パターン３４２ｂは、第１連結部（図示せず）を通じて連結され、第１感知電極パターン３４１ｂと第２感知電極パターン３４２ａは、第１連結部と異なる層に形成された第２連結部（図示せず）を通じて連結できる。ここで、異なる層は、第１連結部と第２連結部との間に絶縁膜が配置されて絶縁膜（図示せず）の上面と下面に各々第１連結部と第２連結部が配置されるようにするものでありうる。絶縁膜により第１連結部と第２連結部は、互いに連結されないことがある。
【００３５】
ここで、センシング部は、第１電極と第２電極を含むものとして図示されているが、これに限定されるものではなく、センシング部は、図２に図示されているように、複数の電極が配置されており、電極に駆動信号を伝達し、第１電極または第２電極に含まれる第１駆動電極パターン３４１ａと第１感知電極パターン３４１ｂに連結された駆動信号ラインと、感知信号を伝達し、第１電極または第２電極に含まれる第２駆動電極パターン３４２ｂと第２感知電極パターン３４２ａに連結された感知信号ラインを含むことができる。
【００３６】
図４は、本実施形態に係る第１電極と第２電極を含むセンシング部の第２実施形態を示す平面図である。
【００３７】
図４を参照すると、センシング部４４０は、第１電極４４１乃至第４電極４４４を含むことができる。
【００３８】
第１電極４４１は、第１外部電極４４１ａと第１内部電極４４１ｂを含むことができ、第２電極４４２は、第２外部電極４４２ａと第２内部電極４４２ｂを含むことができ、第３電極４４３は、第３外部電極４４３aと第３内部電極４４３ｂを含むことができ、第４電極４４４は、第４外部電極４４４aと第４内部電極４４４bを含むことができる。
【００３９】
第１外部電極４４１ａと第３外部電極４４３aと第２内部電極４４２ｂと第４内部電極４４４ｂが第１連結部４２２ａを通じて連結されることができ、第１内部電極４４１ｂと第３内部電極４４３ｂと第２外部電極４４２ａと第４外部電極４４４ａが第１連結部４２２ａと異なる層に配置されている第２連結部４２２ｂを通じて連結できる。したがって、第１電極４４１と第２電極４４２との間には、第１外部電極４４１ａと第１内部電極４４１ｂ、第２外部電極４４２ａと第２内部電極４４２ｂ、第１外部電極４４１ａと第２外部電極４４２ａ、第１内部電極４４１ｂと第２内部電極４４２ｂが第１連結部４２２ａ及び第２連結部４２２ｂを通じて連結されていないので、各々容量性結合が形成できる。また、第１電極４４１と第４電極４４４との間には、第１外部電極４４１ａと第１内部電極４４１ｂ、第４外部電極４４４ａと第４内部電極４４４ｂ、第１外部電極４４１ａと第４外部電極４４４ａ、第１内部電極４４１ｂと第４内部電極４４４ｂが第１連結部４２２ａ及び第２連結部４２２ｂを通じて連結されていないので、各々容量性結合が形成できる。第２電極４４２と第３電極４４３、第３電極４４３と第４電極４４４も各々容量性結合が形成できる。
【００４０】
したがって、センシング部４４０内で容量性結合が形成される経路の数が増加してセンシング部４４０のタッチ感度が高まることができる。
【００４１】
そして、第１電極４４１乃至第４電極４４４は、各々電極パターンを含むことができる。電極パターンにより第１電極４４１乃至第４電極４４４は、複数の開口部を有することができ、開口部を通じて光が発光できる。また、第１電極４４１乃至第４電極４４４の電極パターンは、各々フローティングパターン４４１ｃ乃至４４４ｄを含むことができる。フローティングパターン４４１ｃ乃至４４４ｄは、電極パターンのうち、連結が切れているので、タッチ駆動信号またはタッチ感知信号が伝達されないパターンであって、電極パターンがセンシング部４４０の下部に配置される表示装置のカソード電極、共通電極などと容量性結合をするようになる面積が減るようになって、カソード電極、共通電極の電圧が第１電極４４１乃至第４電極４４４に及ぼす影響が減るようにすることができる。
【００４２】
また、第１連結部４４２ａは、各々第１外部電極４４１ａと第２内部電極４４２ｂと第３外部電極４４３ａが連結されるようにし、第１外部電極４４１ａと第４内部電極４４４ｂと第３外部電極４４３ａが連結されるようにすることができる。そして、第２連結部４２２ｂにより第１内部電極４４１ｂ、第２外部電極４４２ａ、第３内部電極４４３ｂ、第４外部電極４４２ａが延長されて互いに連結される。
【００４３】
したがって、第１連結部４４２ａは、第２内部電極４４２ｂ及び第４内部電極４４４ｂに折られた形状を有するようになることができる。しかしながら、第１連結部４４２ａの形状は、これに限定されるものではない。
【００４４】
一実施形態において、タッチ駆動信号は、センシング部４４０がタッチを感知するように第１外部電極４４１ａ、第３外部電極４４３ａ、第２内部電極４４２ｂ、及び第４内部電極４４４ｂに供給できる。第１内部電極４４１ｂ、第３内部電極４４３ｂ、第２外部電極４４２ａ、及び第４外部電極４４４ａからセンシング部４４０のタッチを示すタッチ感知信号の伝達を受けることができる。
【００４５】
図５は、図４に図示されたセンシング部のＩ−Ｉ’の断面の一実施形態を示す断面図である。
【００４６】
図５を参照すると、基板５２０上に第１金属層が蒸着されパターニングされて、第１連結部５０１が形成できる。この際、第１金属層は、基板５２０上にバッファ層（図示せず）が形成された後、蒸着できる。そして、第１連結部５０１が形成された基板５２０の上部に第１絶縁膜５２１が蒸着できる。また、第１絶縁膜５２１の一部にビアホールＶ１、Ｖ２が形成できる。ビアホールＶ１、Ｖ２は、第１連結部５０１の上面に到達できる。そして、第１絶縁膜５２１の上部に第２金属層が蒸着されパターニングされて、第１電極パターン乃至第３電極パターン５２３ａ、５２３ｂ、５２３ｃが形成できる。この際、第１電極パターン５２３ａと第３電極パターン５２３ｃは、各々ビアホールＶ１、Ｖ２を通じて第１連結部５０１と連結できる。しかしながら、第２電極パターン５２３ｂは、第１連結部５０１と連結されなくなる。したがって、第１連結部５０１は、第２電極パターン５２３ｂと連結されないことがある。また、図３に図示されている第１駆動電極パターン３４１ａと第２駆動電極パターン３４２ｂは、第１連結部５０１を通じて連結され、第１感知電極パターン３４１ｂと第２感知電極パターン３４２ａは、第１連結部５０１と異なる層に形成された第２電極パターン５２３ｂを通じて連結できる。異なる層は、第１絶縁膜５２１により区分される２つの層でありうる。また、第２電極パターン５２３ｂは、第２連結部に対応することができる。
【００４７】
図６ａは、図４に図示された第１連結部の一実施形態を示す平面図である。
【００４８】
図６ａを参照すると、第１連結部５２２ｂの胴体は、３個の横方向配線１５２２ｂと、３個の横方向配線１５２２ｂが連結されるようにする４個の縦方向配線２５２２ｂを含むことができ、配線と配線との間に複数の開口部ｈ５２２ｂが形成できる。第１連結部５２２ｂは、基板上に金属層を形成しパターニングして図示されたような形状を有することができる。これによって、横方向配線が縦方向配線を通じて連結されるので、第１連結部５２２ｂの電気伝導性がより高まり、表示装置の一定面積がカバーできるので、タッチ感度が高まることができる。ここで、横方向配線１５２２ｂと縦方向配線２５２２ｂの数は、各々３個と４個であるものとして図示されているが、これに限定されるものではない。また、第１連結部５２２ｂは、一字のものとして図示されているが、これに限定されるものではなく、図４に図示された第２連結部を回避するために折った構成を有することもできる。
【００４９】
図６ｂは、図４に図示されたセンシング部におけるＡ部分を拡大した平面図である。
【００５０】
図６ｂを参照すると、電極は、複数の電極パターン６００が互いに交差するようにして電極パターン６００が開口部６０１を囲むようにすることができる。したがって、電極パターン６００は、メッシュ形状が含まれることができる。表示装置から放出される光が開口部６０１を通じて外部に伝達できる。そして、電極パターン６００は、領域で他の電極パターンと切れているフローティング電極パターン６１０を含むことができる。
【００５１】
電極パターン６００は、センシング部の下部に配置されている表示装置内のカソード電極（図示せず）などと容量性結合をすることができる。カソード電極と容量性結合をするようになれば、電極パターン６００に流れる信号によりカソード電極の電圧が揺れるか、またはカソード電極の電圧の変化によって電極パターン６００に流れる信号が歪曲される問題が発生することがある。しかしながら、電極パターン６００がフローティング電極パターン６１０を含めば、フローティング電極パターン６１０には電圧が印加されていないので、電極パターン６１０がフローティング電極パターン６１０によりカソード電極に対応する面積が減少するようになって、電極パターン６００とカソード電極との間の容量性結合のサイズが非常に小さくて、タッチ誤動作または表示装置の誤動作の発生を抑制することができる。
【００５２】
また、電極パターンにフローティングパターンが存在せず、フローティングパターンが形成された領域を空いている空間になるようにセンシング部の各電極を形成して電極パターンと表示装置内のデータライン、ゲートライン、電源ラインなど間の容量性結合のサイズを小さくすることも可能である。しかしながら、電極パターンは、金属の素材で形成され、これによってフローティングパターンが形成されない領域では、電極パターンで反射される光によるむらが見えることがある。しかしながら、フローティングパターンが形成されるようにすれば、全ての領域で反射される光が均一になって、電極パターンで反射される光によるむらが表れないようになる。
【００５３】
図７は、図１に図示された有機発光表示装置に採用された画素の構造を示す回路図である。
【００５４】
図７を参照すると、画素は、有機発光ダイオード（ＯＬＥＤ）と画素回路７０１を含むことができる。画素回路１０１は、第１及び第２トランジスタＭ１、Ｍ２、及びキャパシタＣ１を備えて有機発光ダイオード（ＯＬＥＤ）に流れる電流を制御することができる。ここで、第１トランジスタＭ１は、有機発光ダイオード（ＯＬＥＤ）に流れる電流を駆動する駆動トランジスタでありうる。そして、有機発光ダイオード（ＯＬＥＤ）のカソード電極に伝達される低電位電圧（ＥＶＳＳ）は、接地でありうる。しかしながら、これに限定されるものではない。
【００５５】
第１トランジスタＭ１は、第１電極が高電位電圧（ＥＶＤＤ）が伝達される高電位電圧線ＶＬに連結され、第２電極が有機発光ダイオード（ＯＬＥＤ）のアノード電極に連結され、ゲート電極は、第１ノードＮ１に連結できる。そして、第１トランジスタＭ１１は、第１電極とゲート電極の電圧差に対応して第１電極から第２電極方向に駆動電流が駆動されるようにすることができる。
【００５６】
第２トランジスタＭ２の第１電極は、データ信号に対応するデータ電圧（Ｖｄａｔａ）が伝達されるデータラインＤＬに連結され、第２電極は、第１ノードＮ１に連結され、ゲート電極は、ゲートラインＳに連結できる。第２トランジスタＭ２は、ゲートラインＳを通じて伝達されるゲート信号の電圧に対応してデータラインＤＬを通じて伝達されるデータ信号に対応するデータ電圧（Ｖｄａｔａ）を第１ノードＮ１に伝達することができる。
【００５７】
キャパシタＣ１は、第１ノードＮ１と第２ノードＮ２との間に連結され、第１ノードＮ１と第２ノードＮ２との間の電圧を維持して第１トランジスタＭ１のゲート電極に印加される電圧が維持されるようにすることができる。有機発光ダイオード（ＯＬＥＤ）のカソード電極に伝達される低電位電圧（ＥＶＳＳ）が揺れれば、第１ノードと第２ノードとの間の電圧差が一定に維持されないようになって、ＯＬＥＤに流れる電流の量に変化が発生する問題点が生じることがある。
【００５８】
上記の第１トランジスタＭ１及び第２トランジスタＭ２の第１電極は、ドレイン電極であり、第２電極は、ソース電極でありうる。しかしながら、これに限定されるものではない。また、各トランジスタは、ＮＭＯＳトランジスタとして図示されているが、これに限定されるものではなく、ＰＭＯＳトランジスタでありうる。また、ここに図示された画素回路は、例示的なものであり、これに限定されるものではない。
【００５９】
図８は、本実施形態に係るセンシング部を含む表示装置の第１実施形態を示す断面図であり、図９は、本実施形態に係るセンシング部を含む表示装置の第２実施形態を示す断面図である。
【００６０】
センシング部ＴＥは、表示装置８００に実装できる。ここで、表示装置８００は、有機発光ダイオードを用いた有機発光表示装置であって、センシング部ＴＥが表示装置８００に実装される場合、センシング部は、エンカプセレーション層（ＥＮＣＡＰ）とディスプレイカバー（ＣＯＶＥＲ）との間に位置することができる。また、センシング部ＴＥは、複数の電極パターンからなる多数の電極と多数の信号ラインでありうる。
【００６１】
また、図８に図示されているように、センサー部がエンカプセレーション層（ＥＮＣＡＰ）上に配置されているものであって、図８に図示されているように、センサー部ＴＥがオーバーコート層ＯＣ上に配置できる。即ち、センサー部ＴＥが別途のタッチパネルを利用せず、表示装置に実装できる。
【００６２】
図８を参照すると、センシング部ＴＳＰがエンカプセレーション層（ＥＮＣＡＰ）上に形成され、センシング部ＴＥ上にオーバーコート層ＯＣが形成できる。そして、オーバーコート層ＯＣ上にセンシング部の電極パターンに対応する位置にブラックマトリックスＢＭが配置され、ブラックマトリックスＢＭの上部にカラーフィルタＣＦが配置できる。カラーフィルタＣＦ上にディスプレイカバー（図示せず）が配置できる。
【００６３】
前述したように、エンカプセレーション層（ＥＮＣＡＰ）上にタッチ電極ＴＥを形成することによって、ディスプレイ性能及びディスプレイのための層の形成に大きい影響を与えず、タッチ電極ＴＥを形成することができる。
【００６４】
一方、相互静電容量方式のタッチセンシング方式の場合、複数の電極ＴＥのうち、駆動電極の間の連結及び／又はセンシング電極の間の連結のための連結部が存在することができるが、このような連結部は、タッチ電極ＴＥとは絶縁層を挟んで異なる層に存在することができる。
【００６５】
図８で、説明の便宜のために、タッチ電極ＴＥと連結部ＢＰとの間の絶縁層と、連結部ＢＰは、図示されていない。
【００６６】
一方、図８を参照すると、エンカプセレーション層（ＥＮＣＡＰ）の下に有機発光ダイオード（ＯＬＥＤ）のカソード（Cathode）が存在することができる。
【００６７】
エンカプセレーション層１２０の厚さ（Ｔ）は、一例に、５マイクロメートル以上でありうる。
【００６８】
前述したように、エンカプセレーション層（ＥＮＣＡＰ）の厚さを５マイクロメートル以上に設計することによって、有機発光ダイオード（ＯＬＥＤ）のカソード（Cathode）とタッチ電極ＴＥとの間に形成される寄生キャパシタンスを減らすことができる。これによって、寄生キャパシタンスによるタッチ感度の低下を防止することができる。
【００６９】
一方、タッチ電極ＴＥがオープン領域（ＯＡ）があるメッシュタイプの電極メタルＥＭとなっている時、垂直方向から見ると、各オープン領域（ＯＡ）の各々の位置は、１つまたは２つ以上のサブピクセルまたはその発光部の位置と対応できる。
【００７０】
したがって、図８に図示したように、多数のオープン領域（ＯＡ）は、多数のカラーフィルタＣＦと対応できる。
【００７１】
前述したように、有機発光表示装置において、ホワイトＯＬＥＤを用いる場合などに必要なカラーフィルタＣＦをオープン領域（ＯＡ）に対応させて配置することによって、優れる発光性能を有する表示装置７００を提供することができる。
【００７２】
カラーフィルタＣＦとタッチ電極ＴＥとの間の垂直位置関係を説明すると、次の通りである。
【００７３】
前述したことによれば、発光性能などのディスプレイ性能とタッチ性能を考慮して、カラーフィルタＣＦとタッチ電極ＴＥとの間の最適の位置関係を有するタッチ表示装置１００を提供することができる。
【００７４】
一方、タッチ表示装置１００の製作便利性の向上及びサイズ縮小などのために、タッチ電極ＴＥからなるタッチパネルＴＳＰを表示パネル１１０に内蔵するための試みが従来にもなされている。
【００７５】
しかしながら、表示装置７００にセンサー部ＴＳＰを内蔵するためには相当な難しさや多い制約事項がある。仮に、表示装置８００の製作工程時、有機物によって、一般的に金属物質からなっているセンサー部ＴＥをパネルの内部に形成するための高温工程が不自由である限界点がある。したがって、センサー部ＴＥをオーバーコート層ＯＣ上に形成すれば、高温工程でより自由でありうる。
【００７６】
図９を参照すると、センシング部ＴＳＰがエンカプセレーション層（ＥＮＣＡＰ）上にブラックマトリックスが形成され、ブラックマトリックス上にカラーフィルタＣＦが配置できる。カラーフィルタＣＦ上にオーバーコート層ＯＣが形成できる。そして、オーバーコート層ＯＣ上にセンシング部ＴＳＰの電極パターンがブラックマトリックスＢＭと対応する位置に配置できる。カラーフィルタＣＦ上にディスプレイカバー（図示せず）が配置できる。
【００７７】
一方、相互静電容量方式のタッチセンシング方式の場合、複数の電極ＴＥのうち、駆動電極の間の連結及び／又はセンシング電極の間の連結のための連結部が存在することができるが、このような連結部は、タッチ電極ＴＥとは絶縁層を挟んで異なる層に存在することができる。
【００７８】
以上の説明及び添付の図面は、本発明の技術思想を例示的に示すことに過ぎないものであって、本発明が属する技術分野で通常の知識を有する者であれば本発明の本質的な特性から逸脱しない範囲で構成の結合、分離、置換、及び変更などの多様な修正及び変形が可能である。したがって、本発明に開示された実施形態は、本発明の技術思想を限定するためのものでなく、説明するためのものであり、このような実施形態によって本発明の技術思想の範囲が限定されるものではない。本発明の保護範囲は、請求範囲によって解釈されなければならず、それと同等な範囲内にある全ての技術思想は、本発明の権利範囲に含まれるものとして解釈されるべきである。
【符号の説明】
【００７９】
４４０  センサー部、４４１  第１電極、４４１ａ  第１外部電極、４４１ｂ  第１内部電極、４４２  第２電極、４４２ａ  第２外部電極、４４２ｂ  第２内部電極、４４３  第３電極、４４３ａ  第３外部電極、４４３ｂ  第３内部電極、４４４  第４電極、４４４ａ  第４外部電極、４４４ｂ  第４内部電極。
【図１】
2018206352.tif 000003
【図２】
2018206352.tif 000004
【図３】
2018206352.tif 000005
【図４】
2018206352.tif 000006
【図５】
2018206352.tif 000007
【図６ａ】
2018206352.tif 000008
【図６ｂ】
2018206352.tif 000009
【図７】
2018206352.tif 000010
【図８】
2018206352.tif 000011
【図９】
2018206352.tif 000012